(57)【特許請求の範囲】
【請求項１】
調整用ボリュームを備えた撮像装置の制御装置において、前記制御装置の電源投入時以降、またはデータ切り換え時以降のいずれかにおいて、前記調整用ボリュームの値が中央値付近または自動調整値付近のいずれかに在ることを確認するボリューム中央値確認手段と、前記ボリューム中央値確認手段で前記調整用ボリュームの値が中央値付近にあることが確認された後、前記ボリュームの値に基づく制御データを前記撮像装置に出力する手段を備えたことを特徴とする撮像装置の制御装置。
【請求項２】
調整用ボリュームを備えた撮像装置の制御装置において、電源投入を検出する電源投入検出手段と、前記電源投入検出手段で電源投入が検出された検出時点以降において、前記調整用ボリュームの値が中央値付近または自動調整値付近のいずれかに在ることが検出される以前は前記調整用ボリュームからのデータをメモリされた映像レベルデータに加算せず、前記調整用ボリュームの値が中央値付近または自動調整値付近のいずれかに在ることが検出された時点以降は前記調整用ボリュームからのデータ又はデータ変化量をメモリされた映像レベルデータに加算して出力する映像レベルデータ出力手段を備えたことを特徴とする撮像装置の制御装置。
【請求項３】
調整用ボリュームを備えた撮像装置の制御装置において、データ切り換えを検出するデータ切り換え検出手段と、前記データ切り換え検出手段でデータ切り換えが検出された検出時点以降において、前記調整用ボリュームの値が中央値付近または自動調整値付近のいずれかに在ることが検出される以前は前記調整用ボリュームからのデータをメモリされた映像レベルデータに加算せず、前記調整用ボリュームの値が中央値付近または自動調整値付近のいずれかに在ることが検出された時点以降は前記調整用ボリュームからのデータ又はデータ変化量をメモリされた映像レベルデータに加算して出力する映像レベルデータ出力手段を備えたことを特徴とする撮像装置の制御装置。
【発明の詳細な説明】
【技術分野】
【０００１】
本発明は、撮像装置の制御装置に係り、特に、電源投入やデータ切り換えの後、メモリした映像レベルデータ値からリモートコントローラユニットのボリュームがその可動範囲の全てでテレビジョンカメラ装置を制御することができる撮像装置の制御装置に関する。
【背景技術】
【０００２】
撮影スタジオなどで使用されるテレビジョンカメラ装置は、カメラヘッド部において一部調整が可能となっているが、撮影場所から離れた調整室においても各種調整が可能になっている。
【０００３】
テレビジョンカメラ装置で撮影された撮像データはケーブルによって調整室に送られる。調整室にはカメラコントロールユニット、映像モニタ、リモートコントローラなどが備わっており、テレビジョンカメラ装置から送られてきた撮像データを処理して映像モニタに表示したり、処理された撮像データを更に外部へ出力する。
【０００４】
また、上記リモートコントローラはケーブルなどでカメラコントロールユニットに接続され、各種調整が遠隔操作できるようになっている。リモートコントローラによる操作信号はカメラコントロールユニットで処理され、一部の処理結果はテレビジョンカメラ装置に制御信号として送られる。更に、他のテレビジョンカメラ装置のカメラコントロールユニットとの信号やり取りが行われ、当該テレビジョンカメラ装置が制御される。
【０００５】
上記リモートコントローラには各種調整を行うための操作キー、調整値を連続的に可変するためのボリューム（可変抵抗器）、データ表示部などが備わっている。オートアイリス制御、γ補正、色調調整、その他連続的に制御量を変化させる必要がある各種画質調整などはリモートコントローラに備わるボリュームを使って調整が行われる。
【０００６】
なお、ボリュームによる調整方法には、ボリュームを動かしたときボリュームの調整位置に応じたデータを映像レベルデータに加算して出力する絶対値的な方法と、ボリュームの可変したその変化量を映像レベルデータに加算して出力する相対値的な方法がある。
【０００７】
撮影スタジオなどで使用されるテレビジョンカメラ、調整室に備わるカメラコントロールユニット、リモコン、映像モニタなどで構成されたテレビジョンカメラ制御装置の先行技術例が、特開２００６−９３９２７号公報（特許文献１）、特開２００５−２８６６７３号公報（特許文献２）などに開示されている。また、テレビカメラのオートアイリス制御の調整にボリュームを使用した例が特開平６−２０５２８５号公報（特許文献３）に開示されている。
【特許文献１】特開２００６−９３９２７号公報
【特許文献２】特開２００５−２８６６７３号公報
【特許文献３】特開平６−２０５２８５号公報
【発明の開示】
【発明が解決しようとする課題】
【０００８】
ところで、撮影スタジオなどで使用されるテレビジョンカメラ装置のテレビジョンカメラ制御装置は、連続的に制御量を変化させる必要がある調整はボリュームを使って行われている。しかし、電源投入時やデータ切り換え時に、メモリした調整値である映像レベルデータ値を読み出したとき、意図した調整値とは異なった調整値として動作したり、ボリュームの調整範囲の一部分で調整不能になったりする不具合を生じる問題があった。
【０００９】
即ち、電源投入時やデータ切り換え時にはボリュームの調整位置が必ずしも調整値の中央にあるとは限らないので、例えば保存した映像レベルデータを読み出した際、ボリューム調整が絶対値的な調整方法であるときは、ボリュームの位置でのデータが加算され、実際に調整値として作用する値がメモリした時の値とは異なったものとなってしまう問題があった。また、ボリューム調整が相対値的な調整方法であるときは、ボリュームの可変したその変化量がメモリした映像レベルデータに加算されて出力されるため、電源投入やデータ切り換えが行われたときボリューム位置が中央位置から偏っていると、ボリュームが最大、又は最小の位置に来たときその位置を超えての調整が不可能となるという問題があった。
【００１０】
図３及び図４を参照して、この不具合を更に詳しく説明する。
【００１１】
図３ａに示したものは、各種ボリュームが備わるリモートコントローラユニット５である。リモートコントローラユニット５のボリュームを動かしたときの映像信号の変化を以下に説明する。
【００１２】
図３ｂで示すように、リモートコントローラユニット５に備わる各ボリュームを符号２０で代表して表し、そしてボリューム２０は、−１００から＋１００まで可変できるとする。即ち、ボリューム摘みの真上が調整の中央値０、右横が＋１００（最大値）、左横が−１００（最小値）である。
【００１３】
例えば図３ａに示したリモートコントローラユニット５の枠２１で囲んで示したボリュームは、リモートコントローラユニット５に備わるボリュームの一部である色調調整用のＲ（赤）ボリューム２２、Ｇ（緑）ボリューム２３、Ｂ（青）ボリューム２４である。図３ｃにこれら色調調整用のＲボリューム２２、Ｇボリューム２３、Ｂボリューム２４を拡大して示した。
【００１４】
ボリュームは図３ｂのように可変できるので、例えば、Ｒボリューム２２、Ｇボリューム２３、Ｂボリューム２４の調整位置を図３ｃの位置に動かしたとする。すると、映像信号はボリュームの位置に応じて各々変化し、図４ｂのようになる（Ｒボリューム２２、Ｇボリューム２３、Ｂボリューム２４が図４ｂのようにＲ＞Ｇ＞Ｂに調整された）。図４ｂで３４はＲボリューム２２による特性、３５はＧボリューム２３による特性、３６はＢボリューム２４による特性を示している。
【００１５】
また、Ｒボリューム２２、Ｇボリューム２３、Ｂボリューム２４が図４ａのようにＲ＞Ｂ＞Ｇに調整され（図４ａで３１はＲボリューム２２による特性、３２はＧボリューム２３による特性、３３はＢボリューム２４による特性を示している）、そして、このような状態に調整されたときの映像信号の状態をメモリしたとすると、電源投入時やデータ切り換え時には、メモリを読み出したとき映像信号の状態が図４ａの状態で立ち上がるのが理想である。
【００１６】
しかしながら、電源投入やデータ切り換えが行われたときボリュームが図３ｃの位置（Ｒ＞Ｇ＞Ｂ）になっていたとすると、ボリュームによる調整方法が絶対値的な方法ではボリュームの位置に応じてデータを出力してしまうため、メモリした映像レベルデータ値に、ボリュームの位置に応じた値を加算してしまい、保存した映像レベルデータ（図４ａ）とは異なる値で調整されてしまうことになる。
【００１７】
また、ボリュームによる調整方法が相対値的な方法ではボリュームの可変量を加算するため、電源投入やデータ切り換えが行われたとき、メモリを読み出したときなどは図４ａの状態で立ち上がるが、ボリュームが図３ｃの位置になっていたとすると、ボリュームを動かしたとき図４ｃの点線のように可変する向きや量が偏ってしまう。これでは可変不可能な不感帯が生じてしまう。
【００１８】
即ち、図４ｃに示したように、Ｒボリューム２２による特性３７は符号３８で示した特性の範囲でしか調整できず、Ｇボリューム２３による特性３９は符号４０から符号４１で示した特性の範囲でしか調整できず、Ｂボリューム２４による特性４４は符号４２から符号４３で示した特性の範囲でしか調整できない。
【００１９】
従来における先行技術は、電源投入時やデータ切り換え時に生じる上記不具合について何ら考慮されていない。
【００２０】
そこで、本発明の目的は、上記問題点に鑑み、メモリした映像レベルデータから制御を始められ、尚且つ、調整不可能なボリューム範囲が無いようにしたテレビジョンカメラ制御装置を提供することにある。
【課題を解決するための手段】
【００２１】
本発明による撮像装置の制御装置は、調整用ボリュームを備えた撮像装置の制御装置において、前記制御装置の電源起動時以降、またはデータ切り換え時以降のいずれかにおいて、前記調整用ボリュームの値が中央値付近または自動調整値付近のいずれかに在ることを確認するボリューム中央値確認手段と、前記ボリューム中央値確認手段で前記調整用ボリュームの値が中央値付近にあることが確認された後、前記ボリュームの値に基づく調整値データを前記撮像装置に出力する手段を備えたことを特徴とする。
【発明の効果】
【００２２】
本発明によれば、テレビジョンカメラ制御装置の電源投入時やデータ切り換え時に、メモリした映像レベルデータから制御を始められ、尚且つ、調整不可能なボリューム範囲が無いようにできる。
【発明を実施するための最良の形態】
【００２３】
次に、本発明を実施するための最良の形態を、図面を参照して具体的に説明する。
【００２４】
図１は本発明の実施の形態を示したテレビジョンカメラ制御装置（撮像装置の制御装置）１８の構成図である。
撮影スタジオ１６にはカメラヘッド１、このカメラヘッド１に装着されるレンズ部２が配置され、カメラマンにより操作されて被写体の映像が撮影される。
【００２５】
調整室１７にはカメラコントロールユニット（以下ＣＣＵという）３、リモートコントロールユニット（以下ＲＣＵという）５、映像モニタ７が配置されている。
【００２６】
撮影スタジオ１６に配置されたカメラヘッド１と調整室１７に配置されたＣＣＵ３は、ケーブル４で接続され、カメラヘッド１から撮像されたデータやカメラヘッド１とＣＣＵ３間の制御信号が伝送される。また、調整室１７に配置されたＣＣＵ３とＲＣＵ５はケーブル６で接続され、ＲＣＵ５からの操作信号がＣＣＵ３に伝送される。カメラヘッド１からの撮像データは調整室１７に配置されたＣＣＵ３で処理され、映像モニタ７により映像として表示される。
【００２７】
図２は、図１に示したテレビジョンカメラ制御装置１８を機能ブロックにより示したものである。図２を参照してテレビジョンカメラ制御装置１８の構成、およびその動作について説明する。
【００２８】
カメラヘッド１はＣＰＵ１０、撮像素子１１、映像信号処理部１２などを含んで構成される。また、ＣＣＵ３はＣＰＵ１３、映像信号処理部１４などを含んで構成される。カメラヘッド１の撮像素子１１に対向してレンズ部２が装着されている。また、ＣＣＵ３のＣＰＵ１３にはＲＣＵ５が接続されている。なお、図示はしていないがＲＣＵ５もＣＰＵ（マイクロコンピュータを含み、ＲＣＵ５の制御を行う制御回路）を具備している。ＣＣＵ３の映像信号処理部１４には映像モニタ７が接続され、更に映像信号処理部１４の出力ケーブル１５から撮像データが出力されている。
【００２９】
上記撮像素子１１はＣＭＯＳ撮像素子、あるいは「ＣＣＤ（Charge Coupled Device）撮像素子＋ＣＤＳ(相関２重サンプリング)雑音低減回路＋ＡＧＣ（Automatic
Gain Control）可変利得回路＋Ａ／Ｄ変換器」などで構成されている。撮像素子１１は被写体の像を電気信号に変換する機能、雑音を除去する機能、利得を調整する機能、アナログデータをデジタルデータに変換する機能を備えている。
【００３０】
被写体からの入射光がレンズ部２に入射すると、光量や焦点が調整されて結像し、撮像素子１１に出力される。撮像素子１１は結像した映像を電気信号に変換して映像信号処理部１２に出力する。映像信号処理部１２はγ補正、輝度調整、色調補正、その他画質に関する映像処理を行い、ＣＣＵ３の映像信号処理部１４へ出力する。また、映像信号処理部１２はオートアイリス制御のための映像レベル信号を検出し、あるいはオートフォーカス制御のための調整量を検出しＣＰＵ１０を介してレンズ部２へ出力する。ＣＰＵ１０はマイクロコンピュータを含み、ＣＣＵ３のＣＰＵ１３からの信号と映像信号処理部１２からの信号を入力しカメラヘッド１全体の制御を行う制御回路である。オートアイリス制御、オートフォーカス制御は周知の技術を適用できる。
【００３１】
ＣＣＵ３の映像信号処理部１４はカメラヘッド１の映像信号処理部１２からの映像信号を入力してダウンコンバート処理や映像信号を外部に出力するためパラレル／シリアル変換などを行う。映像信号処理部１４で処理された映像信号は、映像モニタ７に出力されてモニタ表示され、また外部に撮像データ信号として出力される。
【００３２】
ＣＣＵ３のＣＰＵ１３はマイクロコンピュータを含み、ＲＣＵ５に接続され、ＲＣＵ５からの操作信号によりＣＣＵ３全体を制御する制御回路である。
【００３３】
ＲＣＵ５はケーブル６でＣＣＵ３に接続され、各種調整が遠隔操作できるようになっている。ＲＣＵ５による操作信号はＣＣＵ３のＣＰＵ１３で処理され、一部の処理結果はカメラヘッド１のＣＰＵ１０に制御信号として送られる。更に、図示はしていないがＣＣＵ３は他のテレビジョンカメラ装置のＣＣＵと信号やり取りを行い、当該テレビジョンカメラ装置を制御する。
【００３４】
上記ＲＣＵ５には各種調整を行うための操作キー、調整値を連続的に可変するためのボリューム（可変抵抗器）、データ表示部などが備わっている。オートアイリス制御（自動レンズ絞り制御）、γ補正、輝度調整、色調補正、その他連続的に制御量を変化させる必要がある各種画質調整などはＲＣＵ５に備わるボリュームを使って調整が行われる。
【００３５】
図３ａに示したものは、各種操作キー、調整用のボリューム、表示器などが備わるＲＣＵ５である。ＲＣＵ５に備わる各ボリューム２０は、図３ｂのように−１００から＋１００まで可変できるとする。即ち、ボリューム摘みの真上が調整の中央値０、右横が＋１００（最大値；１００％）、左横が−１００（最小値；−１００％）である。
【００３６】
例えば図３ａに示したＲＣＵ５の枠２１で囲んで示したボリュームは、ＲＣＵ５に備わるボリュームの一部である色調調整用のＲ（赤）ボリューム２２、Ｇ（緑）ボリューム２３、Ｂ（青）ボリューム２４を囲んで示したものである。図３ｃにこれら色調調整用のＲボリューム２２、Ｇボリューム２３、Ｂボリューム２４を拡大して示した。
【００３７】
本発明の実施の形態におけるＲＣＵ５のこれらボリュームのハード構成は従来と変えずに実施できるが、本発明の実施の形態では、従来技術に対し、電源投入やデータ切り換えが行われたとき、下記の（１）（２）の点を変更している。
【００３８】
（１）電源投入やデータ切り換えが行われたとき、ボリュームの調整位置が、ボリュームの調整範囲の中央位置（図３ｂに示した０点）に無いときは、ボリュームからの調整位置に応じたデータがあっても無視する、あるいは０を加算する。
（２）ボリュームの調整位置が、ボリュームの調整範囲の中央位置に来たら、それ以降、ボリュームからの調整位置に応じたデータを調整信号として取り込む。
【００３９】
このようにすることにより、電源投入やデータ切り換えが行われたとき、ボリューム調整が絶対値的な調整方法であるときは、ボリュームの調整範囲の中央位置０になり実際に調整値として加算される値が０となってからボリュームからの調整位置に応じた動作が開始されるので、メモリした映像レベルデータと連続するようになる。また、ボリューム調整が相対値的な調整方法であるときは、ボリュームの調整範囲の中央位置０からボリュームからの調整位置に応じた動作が開始されるので、ボリュームの調整範囲の中央位置に対してボリュームの調整が対称になり、ボリューム調整範囲が偏るという問題がなくなる。これを図３、図４を参照して説明する。
【００４０】
符号２０で代表して表した各ボリューム２０は図３ａのように可変できるので、例えば、Ｒボリューム、Ｇボリューム２３、Ｂボリューム２４の調整位置を図３ｃの位置に動かしたとする。すると、映像信号はボリュームの位置に応じて各々変化し、図４ｂのようになる（Ｒボリューム２２、Ｇボリューム２３、Ｂボリューム２４が図４ｂのようにＲ＞Ｇ＞Ｂに調整された）。
【００４１】
電源投入やデータ切り換えが行われたとき、ボリュームが図３ｃの位置（Ｒ＞Ｇ＞Ｂ）になっていたとすると、ボリュームの調整位置が、ボリュームの調整範囲の中央位置（図３ｂに示した０点）に無いので、ボリュームからの調整位置に応じたデータがあってもこれらデータは無視されるか、または０が加算される。
【００４２】
したがって、ボリュームによる調整方法が絶対値的な方法では、保存した映像レベルデータ値に、ボリュームの位置に応じた値が加算されない。このとき、保存した映像レベルデータはメモリした値（図４ａ）で調整されることになる。
【００４３】
また、ボリュームによる調整方法が相対値的な方法でも、保存した映像レベルデータ値に、ボリュームの位置に応じた値が加算されない。このとき、保存した映像レベルデータはメモリした値（図４ａ）で調整されることになる。
【００４４】
ボリュームの位置を調整して、その位置が調整範囲の中央位置に一致すると、それ以降、ボリュームからの調整位置に応じたデータが調整信号として取り込まれ、ボリュームからの調整位置に応じた動作が開始される。
【００４５】
したがって、ボリュームによる調整方法が絶対値的な方法では、ボリュームの位置が調整範囲の中央位置０から動作が開始され、このときボリュームからの値が０なので、実質ボリュームの位置に応じた値が加算されず、調整値としてメモリした映像レベルデータに連続した値となる。それ以降、ボリュームの調整量に応じて調整することができるようになる。
【００４６】
また、ボリュームによる調整方法が相対値的な方法では、ボリュームの位置が調整範囲の中央位置から動作が開始されるため、ボリュームの調整範囲が０を中心に対称となる。したがって、可変する向きや量が偏らず、可変不可能な不感帯が生じないようになる。
【００４７】
次に、電源投入やデータ切り換えが行われたときのボリュームデータ出力処理を図５、図６を参照して説明する。
【００４８】
図５は、本実施の形態で、電源投入やデータ切り換えが行われたとき、ボリューム２０から出力されるデータを処理する回路構成を示したものである。
【００４９】
図５において、１３はＣＣＵ３のＣＰＵ、２０はＲＣＵ５に備わるボリュームである。ＣＰＵ１３は、電源投入や遮断を検出する電源投入／遮断検出部５１、データ切り換えが有ったことを検出するデータ切り換え検出部５２、ボリューム２０のデータを処理して出力するボリュームデータ処理部５３、ボリュームの調整値を記憶する映像レベルデータ値メモリ５５、ボリュームデータ処理部５３の出力と映像レベルデータ値メモリ５５の出力を加算する加算器５４などを備える。
【００５０】
ボリュームデータ処理部５３は、ボリューム２０、電源投入／遮断検出部５１、データ切り換え検出部５２からの信号を入力して、電源投入やデータ切り換えが行われたときにボリューム２０の調整位置が中央位置０の状態を検出し、その検出以前は０、その検出以降は、ボリュームによる調整方法が絶対値的な方法では、ボリュームの調整位置に応じたデータを加算器５４に出力する。また、ボリュームによる調整方法が相対値的な方法ではボリュームの可変したその変化量を加算器５４に出力する。なお、ボリューム２０の調整位置が中央位置０の付近（実用上支障の無いとして予め決めた範囲）に来たときを中央位置０として検出しても良い。
【００５１】
加算器５４はボリュームデータ処理部５３の出力と映像レベルデータ値メモリ５５の出力を加算して各調整処理部１０、１４に出力する。
【００５２】
各調整処理部１０、１４は、ボリュームデータ処理部５３からの出力データに基づいて調整を行う。
【００５３】
図６は、ボリューム２０、電源投入／遮断検出部５１、データ切り換え検出部５２からの信号を基に、ボリュームのデータを処理するフローチャートである。以下この処理を説明する。
【００５４】
（ステップＳ１）
ステップＳ１において、ボリュームデータ処理部５３は電源投入／遮断検出部５１の出力を基に電源が投入されたか否かを判定する。電源が投入されていないと判断されたとき（Ｎｏ）は処理を終了する。電源が投入されたと判断されたとき（Ｙｅｓ）はステップＳ２に処理を進める。
【００５５】
（ステップＳ２）
ステップＳ２において、ボリュームデータ処理部５３はボリューム２０から出力されているデータを読み取り、ステップＳ３に処理を進める。
【００５６】
（ステップＳ３）
ステップＳ３において、ボリュームデータ処理部５３が、ボリューム２０の調整位置は中央位置０でない（Ｎｏ）と判断したときステップＳ４に処理を進める。ボリュームデータ処理部５３が、ボリューム２０の調整位置は中央位置０である（Ｙｅｓ）と判断したときステップＳ５に処理を進める。
【００５７】
（ステップＳ４）
ステップＳ４では所定の待ち時間をとってステップＳ２に戻る。
【００５８】
（ステップＳ５）
ステップＳ５において、ボリュームデータ処理部５３はボリューム２０から出力されているデータを読み取り、ステップＳ６に処理を進める。
【００５９】
（ステップＳ６）
ステップＳ５において、ボリュームデータ処理部５３は、ボリューム２０から読み取ったデータを調整値として、ボリュームによる調整方法が絶対値的な方法では、ボリュームの調整位置に応じたデータを加算器５４に出力する。また、ボリュームによる調整方法が相対値的な方法ではボリュームの可変したその変化量を加算器５４に出力し、次に処理をステップＳ７に進める。
【００６０】
（ステップＳ７）
ステップＳ５において、データ切り換え検出部５４からの入力を読み取り、データの切り換えが有ったか否かを判断する。データ切り換えが有った（Ｙｅｓ）と判断されたときは処理をステップＳ２に進め、上記説明したステップＳ２以降の処理を継続する。データ切り換えが無かった（Ｎｏ）と判断されたときは処理をステップＳ８に進める。
【００６１】
（ステップＳ８）
ステップＳ８において、ボリュームデータ処理部５３は、電源投入／遮断検出部５１の出力を読み取り、電源遮断処理の操作が有ったか否かを判断する。電源遮断処理の操作が有った場合（Ｙｅｓ）には本処理を終了して電源を遮断する。電源遮断処理の操作が無かった場合（Ｎｏ）には処理をステップＳ５に進め、上記説明したステップＳ５以降の処理を継続する。
【００６２】
以上、具体的な実施の形態により説明してきたが、同じボリュームでも映像信号の白バランスを合わせるオートホワイト機能や映像信号の黒バランスを合わせるオードブラック機能のように、ボリュームの可変量を加えた状態から自動調整するものは、ボリューム位置を中央位置０に戻すことなくその位置から可変することが必要である。また、画質に関係する項目を全て自動調整するフルオートセットアップ機能などでは、自動調整に関係するボリューム位置は中央位置０に戻した後、関係しないボリュームはその位置から可変させることが必要である。これは、機能の項目など状況に合わせて切り換えられるようにして実施することも可能である。なお、自動調整に関係するボリュームの調整位置が中央位置０の付近（実用上支障の無いとして予め決めた範囲）に来たときを中央位置０として検出しても良い。
【００６３】
また、上記図５に示した図６のフローチャートの処理を実行するＣＰＵ１３は、図示していないＲＣＵ５に備わるＣＰＵに代えることができる。
【００６４】
また、ボリュームの調整値は映像レベルデータ値に限定されず、各種調整値に適用できる。
【００６５】
また、本発明は、テレビジョンカメラの制御装置に限らず、家庭用ビデオカメラにおいて、調整値をボリュームで出力する行うような撮像装置にも適用することができる。
【００６６】
上記、本発明の実施の形態の説明を纏めると、次のような特徴を有する。
（１）調整用ボリュームを備えた撮像装置の制御装置において、前記制御装置の電源投入時以降、またはデータ切り換え時以降のいずれかにおいて、前記調整用ボリュームの値が中央値付近または自動調整値付近のいずれかに在ることを確認するボリューム中央値確認手段と、前記ボリューム中央値確認手段で前記調整用ボリュームの値が中央値付近にあることが確認された後、前記ボリュームの値に基づく調整値データを前記撮像装置に出力する手段を備えたことを特徴とする。
（２）調整用ボリュームを備えた撮像装置の制御装置において、電源投入を検出する電源投入検出手段と、前記電源投入検出手段で電源投入が検出された検出時点以降において、前記調整用ボリュームの値が中央値付近または自動調整値付近のいずれかに在ることが検出される以前は前記調整用ボリュームからのデータをメモリされた映像レベルデータに加算せず（０を加算しても良い）、前記調整用ボリュームの値が中央値付近または自動調整値付近のいずれかに在ることが検出された時点以降は前記調整用ボリュームからのデータ又はデータ変化量をメモリされた映像レベルデータに加算して出力する映像レベルデータ出力手段を備えたことを特徴とする。
（３）調整用ボリュームを備えた撮像装置の制御装置において、データ切り換えを検出するデータ切り換え検出手段と、前記データ切り換え検出手段でデータ切り換えが検出された検出時点以降において、前記調整用ボリュームの値が中央値付近または自動調整値付近のいずれかに在ることが検出される以前は前記調整用ボリュームからのデータをメモリされた映像レベルデータに加算せず（０を加算しても良い）、前記調整用ボリュームの値が中央値付近または自動調整値付近のいずれかに在ることが検出された時点以降は前記調整用ボリュームからのデータ又はデータ変化量をメモリされた映像レベルデータに加算して出力する映像レベルデータ出力手段を備えたことを特徴とする。
（４）前記データ切り換え検出手段、および前記映像レベルデータ出力手段はＣＣＵ３に備わることを特徴とする。
（５）前記データ切り換え検出手段、および前記映像レベルデータ出力手段はＲＣＵ５に備わることを特徴とする。
【００６７】
以上、実施の形態で説明したものは本発明の例示であり、これには限定されず、本発明の要旨を逸脱しない範囲で変形して実施できることは勿論である。
【産業上の利用可能性】
【００６８】
本発明は、テレビジョンカメラなどの撮像装置の制御装置に限らず、ボリュームによる調整値を制御に用いている装置の制御装置に広く利用できる。
【図面の簡単な説明】
【００６９】
【図１】本発明が適用されるテレビジョンカメラ制御装置の、一実施の形態を示す構成図である。
【図２】図１に示したテレビジョンカメラ制御装置の機能ブロック図を示す。
【図３】リモートコントローラユニットのボリューム調整を説明する図である。
【図４】図３に示した図３ａ，ｂはリモートコントローラユニットのボリューム調整値を説明する図であり、また図３ｃは従来技術における調整値の不具合を説明する図である。
【図５】本発明の実施の形態による、テレビジョンカメラ制御装置のボリュームデータ処理回路の機能ブロック図である。
【図６】本発明の実施の形態による、テレビジョンカメラ制御装置のボリュームデータ処理フローチャートである。
【符号の説明】
【００７０】
１・・・カメラヘッド
２・・・レンズ部
３・・・カメラコントロールユニット（ＣＣＵ）
４、６・・・ケーブル
５・・・リモートコントロールユニット（ＲＣＵ）
７・・・映像モニタ
１０、１３・・・ＣＰＵ
１１・・・撮像素子
１２・・・映像信号処理部
１４・・・映像信号処理部
１８・・・テレビジョンカメラ制御装置（撮像装置の制御装置）
２０、２２、２３、２４・・・ボリューム
５１・・・電源投入／遮断検出部
５２・・・データ切り換え検出部
５３・・・ボリュームデータ処理部
５４・・・加算器
５５・・・映像レベルデータ値メモリ
【図１】
0004868600.tif 000002
【図２】
0004868600.tif 000003
【図３】
0004868600.tif 000004
【図４】
0004868600.tif 000005
【図５】
0004868600.tif 000006
【図６】
0004868600.tif 000007